(57)【特許請求の範囲】
【請求項１】
２つの画面領域を有する表示部を備える情報表示装置であって、
ユーザからの前記２つの画面領域のいずれか一方に表示した情報に対する選択操作を受け付ける情報選択受付手段と、
前記情報選択受付手段が受け付けた前記選択操作が前記２つの画面領域のいずれに対する選択操作であるかを判断する表示領域判断手段と、
前記２つの画面領域のうち、前記表示領域判断手段が判断した第１画面領域とは異なる第２画面領域に表示されている情報の前面に、前記選択操作に基づき取得された関連情報を展開表示するとともに、前記第１画面領域全体の表示色を変更する展開表示手段と、
前記第２画面領域を閉じるための操作、又は、前記第１画面領域の所定の位置を選択する操作を受け付けた場合に、前記第１画面領域を表示色が変更される前の表示態様に戻す解除手段と、
ユーザから前記展開表示手段が展開表示した前記関連情報に対する選択操作を受け付ける展開情報選択受付手段と、
前記表示領域判断手段および前記展開表示手段による処理を前記展開情報選択受付手段が受け付けた選択操作に対して繰り返し実行することにより、前記２つの画面領域のうち当該選択操作を受け付けた前記画面領域ではない方の前記画面領域に関連情報を展開表示していく繰り返し手段と、
を備える情報表示装置。
【請求項２】
前記情報表示装置の傾きに基づいて、前記表示部の画面領域における横方向が長辺となる表示状態である場合には、当該表示部の画面領域を左右に並んだ２つの画面領域に分割し、前記表示部の画面領域における縦方向が長辺となる表示状態である場合には、当該表示部の画面領域を上下に並んだ２つの画面領域に分割する分割手段
をさらに備える請求項１に記載の情報表示装置。
【請求項３】
２つの画面領域を有する表示部を備える情報表示装置が実行する、
ユーザからの前記２つの画面領域のいずれか一方に表示した情報に対する選択操作を受け付けるステップと、
受け付けた前記選択操作が前記２つの画面領域のいずれに対する選択操作であるかを判断するステップと、
前記２つの画面領域のうち、前記ステップにより判断した第１画面領域とは異なる第２画面領域に表示されている情報の前面に、前記選択操作に基づき取得された関連情報を展開表示するとともに、前記第１画面領域全体の表示色を変更するステップと、
前記第２画面領域を閉じるための操作、又は、前記第１画面領域の所定の位置を選択する操作を受け付けた場合に、前記第１画面領域を表示色が変更される前の表示態様に戻すステップと、
ユーザから展開表示した前記関連情報に対する選択操作を受け付けるステップと、
受け付けた前記選択操作が前記２つの画面領域のいずれに対する選択操作であるかを判断するステップと、
前記２つの画面領域のうち、前記ステップによりが判断した画面領域とは異なる画面領域に表示されている情報の前面に、前記展開表示された情報の関連情報を更に展開表示するステップと、
を含む方法。
【請求項４】
２つの画面領域を有する表示部を備える情報表示装置に、
ユーザからの前記２つの画面領域のいずれか一方に表示した情報に対する選択操作を受け付けるステップと、
受け付けた前記選択操作が前記２つの画面領域のいずれに対する選択操作であるかを判断するステップと、
前記２つの画面領域のうち、前記ステップにより判断した第１画面領域とは異なる第２画面領域に表示されている情報の前面に、前記選択操作に基づき取得された関連情報を展開表示するとともに、前記第１画面領域全体の表示色を変更するステップと、
前記第２画面領域を閉じるための操作、又は、前記第１画面領域の所定の位置を選択する操作を受け付けた場合に、前記第１画面領域を表示色が変更される前の表示態様に戻すステップと、
ユーザから展開表示した前記関連情報に対する選択操作を受け付けるステップと、
受け付けた前記選択操作が前記２つの画面領域のいずれに対する選択操作であるかを判断するステップと、
前記２つの画面領域のうち、前記ステップによりが判断した画面領域とは異なる画面領域に表示されている情報の前面に、前記展開表示された情報の関連情報を更に展開表示するステップと、
を実行させるプログラム。 
【発明の詳細な説明】
【技術分野】
【０００１】
本発明は、２つの画面領域のそれぞれに表示した情報の関連情報を他の画面領域に相互補完的に展開表示する情報表示装置、方法及びプログラムに関する。
【背景技術】
【０００２】
表示装置の発展は著しく、テレビやパーソナルコンピュータなどの据え置きの製品に限らず、携帯電話、スマートフォンやＰＤＡ（Ｐｅｒｓｏｎａｌ  Ｄｉｇｉｔａｌ  Ａｓｓｉｓｔａｎｔ）などのような携帯型の情報端末にも広く用いられるようになっている。
【０００３】
多くの情報端末に広く用いられている表示装置の利便性を高めるための試みはこれまで多数なされてきており、例えば、表示装置の状態（傾き）により表示する情報の向きを回転する機能（ピボット機能）が知られている。この点、特許文献１には、表示装置に設けられた受話ユニットと操作部に設けられた送話ユニットとの相対的な位置関係を維持したまま、表示画面の縦・横方向を片手のみのワンタッチ操作で容易に転換し得る構造の携帯電話機が開示されている。
【先行技術文献】
【特許文献】
【０００４】
【特許文献１】特開２００８−２１１２７２号公報
【発明の概要】
【発明が解決しようとする課題】
【０００５】
ところで、近年では、携帯型の情報端末に電子化した書籍を保存して読書する電子書籍と呼ばれる形態が普及しつつあり、電子書籍の閲覧に適した携帯型の情報端末（例えば、ｉＰａｄ（登録商標））も普及し始めている。
【０００６】
このような情報端末は、従来よりも大型の表示装置を備えるため更なる利便性の向上が期待され、本発明者は、大型の表示装置を２つの画面領域に分割し、それぞれに表示した情報の関連情報を他の画面領域に相互補完的に展開表示する情報表示装置を開発した。
【０００７】
ここで、表示装置に表示した情報の関連情報を他の画面領域に別途表示する方法として、ＨＴＭＬのフレーム機能が知られている。例えば、図７を参照して、ＨＴＭＬのフレーム機能を用いて１の画面内にフレーム「左」及びフレーム「右」を生成し、フレーム「左」内のリンクがクリックされると、もう一方のフレーム「右」に当該リンクに基づく関連情報を表示する方法が知られている。
しかしながら、ＨＴＭＬのフレーム機能は、関連情報を表示するフレームを「ｔａｒｇｅｔ」で指定するため、２つの画面領域における相互補完的な展開表示をすることはできなかった。例えば、図７（１）でフレーム「左」に表示していた「Ａ．ｈｔｍｌ」をフレーム「右」に表示した場合（図７（２））、「Ａ．ｈｔｍｌ」内で「ｔａｒｇｅｔ＝“ｍｉｇｉ”」で指定しているリンクの関連情報は、フレーム「右」に展開表示されてしまい、もう一方のフレーム「左」に展開表示することはできなかった。
【０００８】
そこで、本発明は、従来の方法では実現することのできなかった、２つの画面領域のそれぞれに表示した情報の関連情報を他の画面領域に相互補完的に展開表示する情報表示装置、方法及びプログラムを提供することを目的とする。
【課題を解決するための手段】
【０００９】
（１）  ２つの画面領域を有する表示部を備える情報表示装置であって、ユーザからの前記２つの画面領域のいずれか一方に表示した情報に対する選択操作を受け付ける情報選択受付手段と、前記情報選択受付手段が受け付けた前記選択操作が前記２つの画面領域のいずれに対する選択操作であるかを判断する表示領域判断手段と、前記２つの画面領域のうち、前記表示領域判断手段が判断した画面領域とは異なる画面領域に表示されている情報の前面に、前記選択操作に基づき取得された関連情報を展開表示する展開表示手段と、ユーザから前記展開表示手段が展開表示した前記関連情報に対する選択操作を受け付ける展開情報選択受付手段と、前記表示領域判断手段および前記展開表示手段による処理を前記展開情報選択受付手段が受け付けた選択操作に対して繰り返し実行することにより、前記２つの画面領域のうち当該選択操作を受け付けた前記画面領域ではない方の前記画面領域に関連情報を展開表示していく繰り返し手段と、を備える情報表示装置。
【００１０】
（１）の情報表示装置によれば、ユーザから選択操作（クリック）を受け付けると、この選択操作が行われた画面領域を特定し、選択操作が行われた画面領域とは異なるもう一方の画面領域に選択操作に基づき取得された関連情報（リンク先のＷｅｂページ）を展開表示する。また、展開表示された関連情報に対しユーザから選択操作を受け付けた場合も同様に、選択操作が行われた画面領域とは異なるもう一方の画面領域に関連情報を展開表示することを繰り返す。これにより、２つの画面領域のそれぞれに表示した情報の関連情報を他の画面領域に相互補完的に展開表示することができる。
【００１１】
（２）  前記画面領域に表示されている情報の関連情報を予め取得する関連情報先取得手段、を更に備え、前記展開表示手段又は前記展開情報展開表示手段は、前記関連情報先取得手段が予め取得した前記関連情報に基づいて、画面遷移を行わずに前記異なる画面領域に表示されている情報の前面に前記関連情報を展開表示する、（１）に記載の情報表示装置。
【００１２】
（２）の情報表示装置によれば、ユーザの選択操作を受け付けると、予め取得しておいた関連情報を画面遷移を行わずに他の画面領域に展開表示するため、２つの画面領域の相互補完的な展開表示の利便性を高めることができる。
【００１３】
（３）  ２つの画面領域を有する表示部を備える情報表示装置が実行する、ユーザからの前記２つの画面領域のいずれか一方に表示した情報に対する選択操作を受け付けるステップと、受け付けた前記選択操作が前記２つの画面領域のいずれに対する選択操作であるかを判断するステップと、前記２つの画面領域のうち、前記ステップにより判断した画面領域とは異なる画面領域に表示されている情報の前面に、前記選択操作に基づき取得された関連情報を展開表示するステップと、ユーザから展開表示した前記関連情報に対する選択操作を受け付けるステップと、受け付けた前記選択操作が前記２つの画面領域のいずれに対する選択操作であるかを判断するステップと、前記２つの画面領域のうち、前記ステップによりが判断した画面領域とは異なる画面領域に表示されている情報の前面に、前記展開表示された情報の関連情報を更に展開表示するステップと、を含む方法。
【００１４】
（４）  ２つの画面領域を有する表示部を備える情報表示装置に、ユーザからの前記２つの画面領域のいずれか一方に表示した情報に対する選択操作を受け付けるステップと、受け付けた前記選択操作が前記２つの画面領域のいずれに対する選択操作であるかを判断するステップと、前記２つの画面領域のうち、前記ステップにより判断した画面領域とは異なる画面領域に表示されている情報の前面に、前記選択操作に基づき取得された関連情報を展開表示するステップと、ユーザから展開表示した前記関連情報に対する選択操作を受け付けるステップと、受け付けた前記選択操作が前記２つの画面領域のいずれに対する選択操作であるかを判断するステップと、前記２つの画面領域のうち、前記ステップによりが判断した画面領域とは異なる画面領域に表示されている情報の前面に、前記展開表示された情報の関連情報を更に展開表示するステップと、を実行させるプログラム。
【００１５】
（３）の方法又は（４）のプログラムによれば、（１）の情報表示装置と同様の効果を奏する。
【発明の効果】
【００１６】
本発明によれば、２つの画面領域のそれぞれに表示した情報の関連情報を他の画面領域に相互補完的に展開表示することができる。
【図面の簡単な説明】
【００１７】
【図１】本発明の情報表示装置の構成を示す図である。
【図２】本発明の情報表示装置の処理の流れを示すフローチャートである。
【図３】本発明の情報表示装置による表示例を示す図である。
【図４】本発明の情報表示装置による表示例を示す図である。
【図５】本発明の情報表示装置による表示例を示す図である。
【図６】本発明の情報表示装置による表示例を示す図である。
【図７】従来のフレーム機能による画面分割の例を示す図である。
【発明を実施するための形態】
【００１８】
以下、本発明の実施形態について図面を参照して説明する。なお、以下では、表示部に表示する情報として、Ｗｅｂページを例にとり、表示部に表示された情報に対する選択操作により展開表示される関連情報として、当該Ｗｅｂページのリンク先のＷｅｂページを例にとって本発明の実施形態について説明する。
【００１９】
［情報表示装置１の構成］
情報表示装置１は、表示部１０と、記憶部２０と、制御部３０と、を含んで構成される。表示部１０は、例えば、液晶表示装置などのディスプレイであり、図３などで後述するように左画面領域１１と、右画面領域１２と、を含む。記憶部２０は、制御部３０の備える機能を実現するための各種プログラムや各種データを記憶する。
【００２０】
制御部３０は、記憶部２０に記憶される情報に基づいて表示部１０の表示制御を行うため、選択受付手段３１と、領域判断手段３２と、表示手段３３と、関連情報先取得手段３４と、を含む。
【００２１】
選択受付手段３１は、情報選択受付手段として機能し、左画面領域１１及び右画面領域１２のいずれか一方に表示されたＷｅｂページ内のリンクをクリックするなどのユーザの選択操作を受け付ける。また、選択受付手段３１は、後述するように繰り返し手段としても機能する。
選択受付手段３１は、例えば、Ｗｅｂページを記述するＨＴＭＬ内のＪａｖａＳｃｒｉｐｔ（登録商標）
<input  type=“button”  value=○○○○○  onclick=×××××>
に従い、ｏｎＣｌｉｃｋイベントハンドラでユーザの選択操作を受け付ける。
【００２２】
領域判断手段３２は、表示領域判断手段として機能し、選択受付手段３１（情報選択受付手段）が受け付けた選択操作が左画面領域１１及び右画面領域１２のいずれに対する選択操作であるかを判断する。また、領域判断手段３２は、後述するように繰り返し手段としても機能する。
領域判断手段３２は、例えば、ＪａｖａＳｃｒｉｐｔ
if  (event.clientX  <  document.documentElement.clientWidth/2){
○○○○;
}
に従い、ユーザにより選択操作されたＷｅｂページが表示部１０の２つの画面領域（左画面領域１１及び右画面領域１２）のいずれの画面領域に表示されているかを判断する。
【００２３】
表示手段３３は、展開表示手段として機能し、表示部１０の２つの画面領域のうち、領域判断手段３２（表示領域判断手段）が判断した画面領域とは異なる画面領域に表示されているＷｅｂページの前面に（Ｗｅｂページに変えて）、クリックされたリンク先のＷｅｂページを展開表示する。また、表示手段３３は、後述するように繰り返し手段としても機能する。
表示手段３３は、例えば、ＪａｖａＳｃｒｉｐｔや、ＣＳＳ（Ｃａｓｃａｄｉｎｇ  Ｓｔｙｌｅ  Ｓｈｅｅｔｓ）、ｊＱｕｅｒｙ（ｈｔｔｐ：／／ｊｑｕｅｒｙ．ｃｏｍ／）などのライブラリの機能を利用することにより、選択操作を受け付けた画面領域とは異なる画面領域に選択操作に基づき取得された関連情報を表示する。
【００２４】
関連情報先取得手段３４は、左画面領域１１及び右画面領域１２に表示されているＷｅｂページのリンク先の情報を予め取得しておく。関連情報先取得手段３４は、例えば、Ａｊａｘのライブラリの機能を利用することにより、表示されているＷｅｂページのリンク先の情報を予め取得する。また、関連情報先取得手段３４は、後述するように繰り返し手段としても機能する。
そして、表示手段３３は、関連情報先取得手段３４が予め取得しておいたリンク先の情報に基づいて画面領域の表示を変更することで、リンク先のＷｅｂページを画面遷移を行わずに展開表示する。
【００２５】
このように、本発明の情報表示装置１は、表示部１０の２つの画面領域のうち、ユーザの選択操作がなされた画面領域とは異なる画面領域に、選択操作に基づくＷｅｂページを展開表示する。このとき、本発明の情報表示装置１では、新たに展開表示された画面領域において、選択受付手段３１がユーザの選択操作を受け付けた場合には、領域判断手段３２が選択操作を受け付けた画面領域を判断し、表示手段３３が領域判断手段３２が判断した領域とは異なる画面領域に表示されているＷｅｂページの前面に新たなＷｅｂページを更に展開表示することを繰り返す。ここで、関連情報先取得手段３４は、画面領域に新たに展開表示されたＷｅｂページのリンク先の情報を予め取得しておき、表示手段３３は、画面遷移を行うことなくリンク先のＷｅｂページを展開表示することを繰り返す。
したがって、選択受付手段３１、領域判断手段３２、表示手段３３及び関連情報先取得手段３４は、繰り返し手段としても機能する。
【００２６】
［本実施形態のハードウェア及びソフトウェアの構成］
本実施形態のハードウェア及びソフトウェアの構成について説明する。情報表示装置１のハードウェアには、制御部３０としてのＣＰＵの他、記憶部２０、通信部、表示部１０及び入力部が含まれる。記憶部２０としては、例えば、メモリ（ＲＡＭ、ＲＯＭなど）、ハードディスクドライブ（ＨＤＤ）又は光ディスク（ＣＤ、ＤＶＤなど）ドライブなどが挙げられる。通信部としては、例えば、各種有線又は無線インターフェース装置などが挙げられる。表示部１０としては、例えば、液晶ディスプレイ又はプラズマディスプレイなどの各種ディスプレイが挙げられる。入力部としては、例えば、キーボード、ポインティング・デバイス（マウスなど）又はリモコン装置などが挙げられる。
【００２７】
情報表示装置１のソフトウェアには、上記ハードウェアを制御するプログラムやデータが含まれる。プログラムやデータは、記憶部２０により記憶され、制御部３０により適宜実行、参照される。また、コンピュータ・プログラムやデータは、電磁的方法により配布することも可能であり、ＣＤ−ＲＯＭなどのコンピュータ可読媒体に記録して配布することも可能である。
【００２８】
［情報表示装置１の処理］
続いて、本発明の情報表示装置１の処理について図２を参照して説明する。
【００２９】
初めに、制御部３０は、表示部１０の左画面領域１１又は右画面領域１２のいずれか一方に、所定のＷｅｂページを表示する（Ｓ１）。このとき、左画面領域１１又は右画面領域１２に表示されたＷｅｂページにリンクが張られている場合には、関連情報先取得手段３４は、予めリンク先のデータ（Ｗｅｂページ）を取得しておく（Ｓ４）。
【００３０】
続いて、選択受付手段３１（情報選択受付手段）は、表示されたＷｅｂページ内におけるユーザのクリックを受け付ける（Ｓ２）。クリックを受け付けると、領域判断手段３２（表示領域判断手段）は、クリックされた画面領域が左画面領域１１又は右画面領域１２のいずれであるかを判断する（Ｓ３）。その後、表示手段３３（展開表示手段）は、クリックされた画面領域とは異なる画面領域に、Ｓ４で予め取得しておいたＷｅｂページを展開表示する（Ｓ５）。このとき、Ｗｅｂページの展開表示に伴い、関連情報先取得手段３４は、展開表示されたＷｅｂページのリンク先のデータを取得する（Ｓ４）。
【００３１】
その後、選択受付手段３１（展開情報選択受付手段）がＳ５で展開表示されたＷｅｂページ内におけるユーザのクリックを受け付けると（Ｓ２）、領域判断手段３２（展開表示領域判断手段）は、クリックされた画面領域が左画面領域１１又は右画面領域１２のいずれであるかを判断し（Ｓ３）、表示手段３３（展開情報展開表示手段）は、クリックされた画面領域とは異なる画面領域に、予め取得しておいたＷｅｂページを展開表示する（Ｓ５）。
【００３２】
このように、本発明の情報表示装置１では、ユーザがクリックした画面領域とは異なる画面領域に、クリック先のＷｅｂページを展開表示することを繰り返す。その結果、表示部１０には、リンク前のＷｅｂページとリンク先のＷｅｂページとが併せて表示されることになり、Ｗｅｂページの相互補完的な表示が可能となる。このとき、他の画面領域に表示するＷｅｂページを予め取得しておくため、情報表示装置１では、画面遷移を行うことなく、２つの画面領域の相互補完的な表示が可能となり、利便性を高めることができる。
【００３３】
［情報表示装置１による表示例］
続いて、図３〜図５を参照して、本発明の情報表示装置１による表示例について説明する。
【００３４】
初めに、図３を参照して、表示部１０は、左画面領域１１及び右画面領域１２を備え、図３（１）では、左画面領域１１に、ニュースメニュー画面を示すＷｅｂページ１００が表示されている。ここで、Ｗｅｂページ１００には、ニュースＡの抜粋記事へのリンク１０１と、ニュースＢの抜粋記事へのリンク１０２と、ニュースＣの抜粋記事へのリンク１０３と、が表示されている。
【００３５】
このとき、左画面領域１１においてリンク１０１がクリックされると、図３（２）に示すように、ニュースＡの抜粋記事を示すリンク先のＷｅｂページ１１０が、Ｗｅｂページ１００が表示されていた左画面領域１１とは異なる右画面領域１２に表示される。ここで、Ｗｅｂページ１１０には、ニュースＡの詳細を示す全文記事へのリンク１１１が表示されている。
【００３６】
このとき、右画面領域１２においてリンク１１１がクリックされると、図３（３）に示すように、ニュースＡの全文記事を示すリンク先のＷｅｂページ１２０が、Ｗｅｂページ１１０が表示されていた右画面領域１２とは異なる左画面領域１１に表示される。
【００３７】
これにより、情報表示装置１では、表示部１０にリンク前のＷｅｂページとリンク先のＷｅｂページとを併せて表示することができる。例えば、図３（２）では、リンク前のＷｅｂページ１００を左画面領域１１に表示するとともにリンク先のＷｅｂページ１１０を右画面領域１２に表示し、図３（３）では、リンク前のＷｅｂページ１１０を右画面領域１２に表示するとともにリンク先のＷｅｂページ１２０を左画面領域１１に表示している。その結果、情報表示装置１では、２つの画面領域の相互補完的な表示が可能となる。
なお、このような２つの画面領域の相互補完的な表示を行うにあたり、左画面領域１１と右画面領域１２との表示態様を異ならせることで、新たに表示された画面領域がいずれの画面領域であるかをユーザに認識させることとしてもよい。例えば、図３（２）を参照して、右画面領域１２に新たにＷｅｂページ１１０を表示する場合には、左画面領域１１に予め表示していたＷｅｂページ１００をグレーアウト表示することで、右画面領域１２のＷｅｂページ１１０をより明確に表示することとしてもよく、また、Ｗｅｂページ１１０を新たに表示させた表示領域を少し浮き出た見た目で表示することで、新たに表示された画面領域がいずれの画面領域であるかをユーザに認識させることとしてもよい。
【００３８】
続いて、図４を参照して、図３（１）で左画面領域１１に表示されていたＷｅｂページ１００が右画面領域１２に表示されていた場合について説明する。
図４（１）では、リンク１０１、リンク１０２及びリンク１０３を含むＷｅｂページ１００が右画面領域１２に表示されている。
【００３９】
このとき、右画面領域１２において、リンク１０１がクリックされると、図４（２）に示すように、ニュースＡの抜粋記事を示すリンク先のＷｅｂページ１１０が、Ｗｅｂページ１００が表示されていた右画面領域１２とは異なる左画面領域１１に表示される。
【００４０】
このように、本発明の情報表示装置１では、従来のフレーム機能を用いた単純な画面分割（図７）とは異なり、リンク前のＷｅｂページが左画面領域１１及び右画面領域１２のいずれに表示されていたとしても、リンク先のＷｅｂページを異なる画面領域に表示することができる。その結果、情報表示装置１では、２つの画面領域の相互補完的な表示が可能となる。
【００４１】
また、情報表示装置１では、左画面領域１１の表示と右画面領域１２の表示とを順番に切り換えるのではなく、ユーザがクリック（選択操作）した画面領域とは異なる画面領域にリンク先のＷｅｂページを表示することとしている。図４を参照して、右画面領域１２においてリンク１０１がクリックされることで左画面領域１１にＷｅｂページ１１０が表示された後（図４（１）（２））、再び右画面領域１２においてリンク１０２がクリックされると、図４（３）に示すように、ニュースＢの抜粋記事を示すリンク１０２のリンク先のＷｅｂページ１２０が左画面領域１１に表示される。
【００４２】
これにより、本発明の情報表示装置１では、表示部１０に、常にリンク前のＷｅｂページとリンク先のＷｅｂページとを併せて表示することができる。その結果、例えば、Ｗｅｂページ１００のニュース記事へのリンク１０１，１０２，１０３のように同じ属性のリンクを複数有するＷｅｂページを一方の画面領域に表示したまま、他方の画面領域にリンク先のＷｅｂページを切り換えて表示することができ、利便性を高めることができる。
【００４３】
また、本発明の情報表示装置１では、画面遷移を行うことなく異なる画面領域にリンク先のＷｅｂページを表示する。図５を参照して、図５（１）では、左画面領域１１にＷｅｂページ１００が表示され、右画面領域１２にＷｅｂページ１２０が表示されている。
【００４４】
このとき、左画面領域１１においてリンク１０１がクリックされると、画面遷移を行うことなく、右画面領域１２の表示が切り換わる。すなわち、図５（２）（３）を参照して、リンク１０１がクリックされると、左画面領域１１にはＷｅｂページ１００が表示されたまま、右画面領域１２の表示が切り換わりＷｅｂページ１１０が表示される。
【００４５】
これにより、本発明の情報表示装置１では、２つの画面領域の相互補完的な表示を行う際に、ユーザがクリックした画面領域を切り換えることがなく、利便性を高めることができる。
【００４６】
また、本発明の情報表示装置１では、新たに表示した画面領域を明確にするため、元々表示していた画面領域をグレーアウト表示することとしているが、ユーザの操作により元々の画面領域のグレーアウト表示を解除可能としてもよい。
グレーアウト表示の解除は、任意に行うことができ、例えば、図６に示すように、新たに表示した右画面領域１２に設けられた閉じるボタン１２５が操作されると（図６（１））、右画面領域１２を閉じるとともに左画面領域１１に表示されていたＷｅｂページ１００のグレーアウト表示を解除することとしてもよい（図６（２））。
また、例えば、グレーアウト表示されている画面領域のリンク以外の部分をユーザがクリックした場合に、当該画面領域のグレーアウト表示を解除することとしてもよい。すなわち、図６（１）において、左画面領域１１に表示されたＷｅｂページ１００のリンク以外の部分がクリックされると、右画面領域１２を閉じるとともに左画面領域１１に表示されていたＷｅｂページ１００のグレーアウト表示を解除することとしてもよい（図６（２））。
【００４７】
以上、本発明の実施形態について説明したが、本発明は上述した実施形態に限るものではなく、例えば、情報表示装置１が実行する図２に示す処理（方法）及び所定の端末に制御部３０の各手段により実現される機能を実行させるプログラム（例えば、ＪａｖａＳｃｒｉｐｔ）を含む。また、本発明の実施形態に記載された効果は、本発明から生じる最も好適な効果を列挙したに過ぎず、本発明による効果は、本発明の実施形態に記載されたものに限定されるものではない。
【００４８】
また、本実施形態では、表示部１０を左画面領域１１と右画面領域１２とのように左右の画面領域に分割することとしているが、これに限られるものではなく、上画面領域と下画面領域とのように上下に分割することとしてもよい。また、情報表示装置１にピボット機能を持たせることとしてもよく、左右に分割するか上下に分割するかを表示部１０の状態（傾き）により決定することとしてもよい。すなわち、所定のアスペクト比を有する表示部１０において、幅方向が長辺となる状態である場合には左右に分割し、高さ方向が長辺となる状態である場合には上下に分割することとしてもよい。
【符号の説明】
【００４９】
１    情報表示装置
１０  表示部
２０  記憶部
３０  制御部
３１  選択受付手段
３２  領域判断手段
３３  表示手段
３４  関連情報先取得手段
【図１】
0005320410.tif 000002
【図２】
0005320410.tif 000003
【図３】
0005320410.tif 000004
【図４】
0005320410.tif 000005
【図５】
0005320410.tif 000006
【図６】
0005320410.tif 000007
【図７】
0005320410.tif 000008